(57)【特許請求の範囲】
【請求項１】
筒状のプラグフレームにフェルールを保持した光コネクタプラグと、
前記光コネクタプラグのフェルールを受容するフェルール保持部を備えたアダプタとを有し、
前記光コネクタプラグには、前方に行くに従って漸次遠心方向に拡開し、非拡開姿勢に弾性変形可能なストッパ突片と、
前記ストッパ突片を押さえ付けて非拡開姿勢に拘束して保持する拘束位置からストッパ突片に対する拘束を解除して該ストッパ突片を拡開姿勢に復帰させる拘束解除位置まで移動自在なスライド蓋とが設けられ、
前記スライド蓋は、光コネクタプラグの連結位置までの嵌合操作に伴ってアダプタに干渉して拘束位置から拘束解除位置までスライド駆動されるとともに、
ストッパ突片は、拡開姿勢においてアダプタに干渉して光コネクタプラグの連結位置への挿入操作を規制する光コネクタ装置。
【請求項２】
前記アダプタには前記プラグフレームの前端部が挿入するプラグ装着用開口が開設されるとともに、
前記ストッパ突片はプラグフレームの外周に固定され、
スライド蓋はプラグフレームに前後方向移動自在に装着されて光コネクタプラグの連結位置までの嵌合操作に伴ってアダプタのプラグ装着用開口の後端周縁部に当接して拘束解除位置までスライド駆動される請求項１記載の光コネクタ装置。
【請求項３】
前記光コネクタプラグには前記アダプタに締結されるカップリングナットが装着されるとともに、
前記スライド蓋は、前記プラグフレームの外周壁とカップリングナットの内周壁との間に介装される請求項１または２記載の光コネクタ装置。
【請求項４】
前記ストッパ突片は、スライド蓋の拘束解除位置から拘束位置への摺動操作により拡開姿勢から非拡開姿勢に強制復帰可能に形成される請求項１、２または３記載の光コネクタ装置。
【請求項５】
前記ストッパ突片は、リング状に形成されてプラグフレームに外嵌固定されるストッパリングに一体形成される請求項１、２、３または４記載の光コネクタ装置。
【請求項６】
前記プラグフレームは、前記フェルールを保持するとともに、前記アダプタ７に形成されたキー溝に嵌合するキー部を備えたキーリングが外嵌、固定されるプラグフレーム本体と、
プラグフレーム本体に外嵌固定され、前記スライド蓋とストッパ突片とを保持するフレーム連結体からなる請求項１から５のいずれかに記載の光コネクタ装置。
【請求項７】
前記プラグフレームには、フェルールが一体形成される請求項１から６のいずれかに記載の光コネクタ装置。
【発明の詳細な説明】
【技術分野】
【０００１】
本発明は光コネクタ装置に関するものである。
【背景技術】
【０００２】
光ファイバ同士を連結する際に使用される光コネクタ装置としては、特許文献１に記載のものが知られている。
【０００３】
この従来例において、光コネクタ装置は、光ファイバを固定したフェルールを内部に収容した光コネクタ（光コネクタプラグ）と、光コネクタプラグが連結されるアダプタとから構成され、光コネクタプラグはアダプタから抜去した後であっても再度アダプタに連結して使用することができる。
【先行技術文献】
【特許文献】
【０００４】
【特許文献１】特開２００８-１０２２９０号公報
【発明の概要】
【発明が解決しようとする課題】
【０００５】
しかし、上述した従来例において、例えば、ハンドピース付きレーザファイバ等の医療用機器を光源に接続する場合、使用後の医療用機器を再び光源に接続することを禁止することができないために、ディスポーザブル性能を保証できないという問題がある。
【０００６】
本発明は、以上の欠点を解消すべくなされたものであって、再使用を規制する機器を接続するのに適した光コネク装置の提供を目的とする。
【課題を解決するための手段】
【０００７】
本発明によれば上記目的は、
筒状のプラグフレーム１にフェルール２を保持した光コネクタプラグ３と、
前記光コネクタプラグ３のフェルール２を受容するフェルール保持部６を備えたアダプタ７とを有し、
前記光コネクタプラグ３には、前方に行くに従って漸次遠心方向に拡開し、非拡開姿勢に弾性変形可能なストッパ突片８と、
前記ストッパ突片８を押さえ付けて非拡開姿勢に拘束して保持する拘束位置からストッパ突片８に対する拘束を解除して該ストッパ突片８を拡開姿勢に復帰させる拘束解除位置まで移動自在なスライド蓋９とが設けられ、
前記スライド蓋９は、光コネクタプラグ３の連結位置までの嵌合操作に伴ってアダプタ７に干渉して拘束位置から拘束解除位置までスライド駆動されるとともに、
ストッパ突片８は、拡開姿勢においてアダプタ７に干渉して光コネクタプラグ３の連結位置への挿入操作を規制する光コネクタ装置を提供することにより達成される。
【０００８】
光コネクタプラグ３は筒状のプラグフレーム１にフェルール２を保持して形成される。光コネクタプラグ３は、プラグフレーム１の中心部に単一のフェルール２を保持した単芯光コネクタであっても、プラグフレーム１の中心部に多芯光コネクタフェルール２を保持したＭＰＯ光コネクタ等の多芯光コネクタであってもよい。
【０００９】
アダプタ７への光コネクタプラグ３の装着は、プラグフレーム１の前端部をアダプタ７に挿入して行われ、光コネクタプラグ３を連結位置まで挿入すると、光コネクタプラグ３に保持されたフェルール２がアダプタ７のフェルール保持部６に保持され、アダプタ７の反対側から挿入された連結対象の光コネクタプラグ３のフェルール２に突き当て状に接触して光伝送が可能になる。
【００１０】
単芯光コネクタの場合、フェルール保持部６としては、ジルコニア等により形成される割りスリーブを使用することができるが、ＳＭＡ型光コネクタ等の場合、アダプタ７に開設されたフェルール２が挿通可能な孔として形成することもできる。
【００１１】
光コネクタプラグ３に配置されるストッパ突片８は前方に行くに従って漸次拡開する拡開姿勢と、前後方向（アダプタ７への装着方向）に沿う非拡開姿勢との間で弾性変形可能であり、スライド蓋９は前後方向にスライドして上記ストッパ突片８を外方から押さえ付けて非拡開姿勢に保持する拘束位置とストッパ突片８の押さえ付け状態が解除される拘束解除位置との間をスライド可能に形成される。
【００１２】
スライド蓋９は、光コネクタプラグ３が未使用の初期状態で拘束位置に保持されており、光コネクタプラグ３をアダプタ７に嵌合させると、アダプタ７に干渉し、さらに嵌合操作を続けるとアダプタ７により押されて相対的に後方に移動し、連結位置に達した際、あるいはその手前で拘束解除位置に移動する。
【００１３】
この状態から光コネクタプラグ３をアダプタ７から抜去し、ストッパ突片８に対するアダプタ７内周部による拘束が解除されると、ストッパ突片８は拡開姿勢に弾性的に復帰する。
【００１４】
ストッパ突片８は拡開姿勢においてアダプタ７に干渉して光コネクタプラグ３の連結位置への挿入操作が規制されるために、一度使用した光コネクタプラグ３の過誤による再使用を確実に防止することが不可能となる。
【００１５】
上記ストッパ突片８、およびスライド蓋９は、フェルール２の外周壁面等、プラグフレーム１内の適宜位置に配置することが可能であるが、
前記アダプタ７には前記プラグフレーム１の前端部が挿入するプラグ装着用開口４が開設されるとともに、
前記ストッパ突片８はプラグフレーム１の外周に固定され、
スライド蓋９はプラグフレーム１に前後方向移動自在に装着されて光コネクタプラグ３の連結位置までの嵌合操作に伴ってアダプタ７のプラグ装着用開口４の後端周縁部に当接して拘束解除位置までスライド駆動されるように構成することができる。
【００１６】
また、光コネクタ装置は、
前記光コネクタプラグ３には前記アダプタハウジング５に締結されるカップリングナット１０が装着されるとともに、
前記スライド蓋９は、前記プラグフレーム１の外周壁とカップリングナット１０の内周壁との間に介装して構成することができる。
【００１７】
また、前記ストッパ突片８は、スライド蓋９の拘束解除位置から拘束位置への摺動操作により拡開姿勢から非拡開姿勢に強制復帰可能に形成される光コネクタ装置を構成すると、拡開姿勢に移行したストッパ突片８を再び非拡開姿勢に復帰させることができるために、過誤による再使用を規制し、かつ、管理された条件下での再使用状態への復帰が可能になる。
【００１８】
さらに、
前記ストッパ突片８は、リング状に形成されてプラグフレーム１に外嵌固定されるストッパリング１１に一体形成される光コネクタ装置を構成すると、組立作業が簡単になる。
【００１９】
また、本発明の他の態様として、  
前記プラグフレーム１は、前記フェルール２を保持するとともに、前記アダプタハウジング５に形成されたキー溝１２に嵌合するキー部１３を備えたキーリング１４が外嵌、固定されるプラグフレーム本体１５と、
プラグフレーム本体１５に外嵌固定され、前記スライド蓋９とストッパ突片８とを保持するフレーム連結体１６からなる光コネクタ装置を構成することができる。
【００２０】
ＦＣコネクタ等において、プラグフレーム１にはアダプタ７への中心軸周りの装着角度を制御するキーリング１４が固定され、キーリング１４に形成されるキー部１３は、アダプタ７への挿入操作初期においてアダプタ７のキー溝１２に挿入させる必要からプラグフレーム１の前端部に配置する必要がある。
【００２１】
一方、スライド蓋９はコネクタプラグの挿入ストロークを利用して拘束位置から拘束解除位置まで移動させることから光コネクタプラグ３の前端に配置することは光コネクタプラグ３を短寸にするために有効と考えられるが、上記キーリング１４とスライド蓋９の双方を光コネクタプラグ３の前端部に配置するにはキーリング１４とスライド蓋９の双方を径方向に配列する必要が生じ、プラグフレーム１の形状が複雑になり、切削加工等が困難になるという問題がある。
【００２２】
この点、キーを保持するプラグフレーム本体１５とスライド蓋９を保持するフレーム連結体１６を別体として形成し、これらを連結することによりプラグフレーム１を形成すると、切削加工等の困難が解消される上に、光コネクタプラグ３の短寸化も実現できる。
【００２３】
さらに、光コネクタ装置は、プラグフレーム本体にフェルールを一体形成して構成することができる。
【発明の効果】
【００２４】
本発明によれば、一旦使用した光コネクタプラグはストッパ突片が拡開姿勢に移行してアダプタへの挿入が規制されるために、過誤による再使用を確実に防止することができる。
【図面の簡単な説明】
【００２５】
【図１】本発明の使用状態を示す外観図である。
【図２】本発明のコネクタ装置を示す図で、（ａ）は側面図、（ｂ）は（ａ）における２Ｂ方向から見たアダプタを示す図である。
【図３】図２の断面図で、（ａ）は図２（ｂ）の３Ａ-３Ａ線断面図、（ｂ）は図２（ｂ）の３Ｂ-３Ｂ線断面図である。
【図４】スライド蓋とストッパリングを示す図で、（ａ）は正面図、（ｂ）は（ａ）の４Ｂ-４Ｂ線断面図、（ｃ）はスライド蓋が拘束位置におけるストッパリングを示す断面図、（ｄ）はスライド蓋が拘束解除位置に移動したときのストッパリングを示す断面図である。
【図５】光コネクタプラグの装着途中を示す図で、（ａ）は図３（ｂ）に対応する断面図、（ｂ）は図５（ａ）の５Ｂ部拡大図である。
【図６】光コネクタプラグを連結位置まで装着した状態を示す図で、（ａ）は図３（ｂ）に対応する断面図、（ｂ）は図６（ａ）の６Ｂ部拡大図である。
【図７】アダプタから光コネクタプラグを抜去した状態を示す図で、（ａ）は図３（ｂ）に対応する断面図、（ｂ）は図７（ａ）の７Ｂ部拡大図である。
【図８】本発明の第２の実施の形態を示す図で、（ａ）は図３（ｂ）に対応する断面図、（ｂ）は図８（ａ）の８Ｂ部拡大図、（ｃ）は図８（ｂ）の８Ｃ-８Ｃ線拡大断面図である。
【図９】図８の光コネクタプラグを連結位置まで装着した状態を示す図で、（ａ）は図３（ｂ）に対応する断面図、（ｂ）は図９（ａ）の９Ｂ部拡大図、（ｃ）はアダプタから光コネクタプラグを抜去した状態を示す要部拡大断面図である。
【図１０】図８の変形例を示す図で、（ａ）は断面図、（ｂ）は（ａ）の１０Ｂ-１０Ｂ断面図である。
【図１１】図１０の光コネクタプラグの動作を示す図で、（ａ）はアダプタに装着した状態を示す断面図、（ｂ）はアダプタから抜去した状態を示す断面図である。
【図１２】本発明の第３の実施の形態を示す図で、（ａ）は図３（ａ）に対応する図、（ｂ）は図３（ｂ）に対応する図である。
【図１３】図１２の光コネクタプラグの動作を示す図で、（ａ）は連結位置まで挿入した状態を示す図３（ａ）に対応する図、（ｂ）は図１３（ａ）の要部拡大断面図、（ｃ）はアダプタから光コネクタプラグを抜去した状態を示す要部拡大断面図である。
【図１４】本発明の第４の実施の形態を示す図で、（ａ）は断面図、（ｂ）は（ａ）の１４Ｂ方向矢視図である。
【図１５】図１４の光コネクタプラグの動作を示す図で、（ａ）はアダプタに装着した状態を示す断面図、（ｂ）はアダプタから抜去した状態を示す断面図である。
【発明を実施するための形態】
【００２６】
図１に本発明によるコネクタ装置を使用した医療用機器を示す。図１において１７は装置筐体であり、左側が装置筐体１７内部、右側が光医療用機器１８を示す。
【００２７】
装置筐体１７内部には半導体レーザモジュール等のレーザ光源１７ａが収容され、レーザ光源１７ａから照射されるレーザ光は光ファイバ１７ｂにより伝送される。装置筐体１７内の光ファイバの一端には光源側光コネクタプラグ３’が接続されており、装置筐体１７に固定されるアダプタ７に連結される。
【００２８】
一方、ディスポーサブル光医療機器１８に接続される光ファイバ１７ｂ’の一端には本発明の光コネクタ装置を構成する光コネクタプラグ３が連結されており、光コネクタプラグ３をアダプタ７に連結位置まで挿入すると、光コネクタプラグ３に保持された後述するフェルール２の先端と、光源側光コネクタプラグ３’に保持されたフェルール２の先端とが適宜の圧力で接触することによりフェルール２に固定された光ファイバの先端同士が接触し、レーザ光源１７ａからの照射光がディスポーサブル光医療機器１８に伝送される。
【００２９】
また、後述するように、光コネクタプラグ３は、一旦アダプタ７に連結した後、抜去すると、再度アダプタ７への連結が不可能となるために、過ってディスポーサブル光医療機器１８が再使用されることが確実に防止される。
【００３０】
図２以下に示すように、光コネクタ装置は、上述した装置筐体１７等に固定されるアダプタ７と、このアダプタ７に連結される光コネクタプラグ３とを有する。
【００３１】
本例における光コネクタ装置は、ＦＣ単芯コネクタ装置であり、アダプタ７は、前後方向（本明細書において、光コネクタプラグ３のアダプタ７への装着方向、すなわち、図３において右側を「前方」とする。）に貫通するフェルール保持部６としての割りスリーブを保持するスリーブホルダ１９を前後から一対のアダプタハウジング５により挟み付けて形成される。
【００３２】
各アダプタハウジング５はプラグ装着用開口４が開設された連結突部５ａを備えており、この連結突部５ａの外周には、後述するカップリングナット１０をねじ込むための雄ネジ５ｂが刻設される。また、プラグ装着用開口４には、光コネクタプラグ３の挿入側ストローク終端を決定するストッパ壁４ａが設けられ、光コネクタプラグ３は、先端がこのストッパ壁４ａに当接した位置が連結位置となる。
【００３３】
一方、光コネクタプラグ３は、プラグフレーム本体１５にフレーム連結体１６を連結して円筒形状に形成されるプラグフレーム１と、プラグフレーム１の後端に連結されるストッパ２０と、ゴムフード２１と、プラグフレーム１に挿入されるフェルール２とを有し、上記フェルール２の長手方向中心部に開設されるファイバ挿通孔２ａに固定される図外の光ファイバはゴムフード２１の開口を経て光コネクタプラグ３の後端から引き出される。
【００３４】
上記フェルール２にはフランジ部材２２が固定され、このフランジ部材２２の先端部をプラグフレーム本体１５に形成した内向きフランジ１ａに当接させることにより前方への離脱が防止され、さらに、鍔部２１ａをストッパ２０に係止させることによって抜け止めされるゴムフード２１の前端に配置されるバネ受けリング２３とフランジ部材２２のフランジ部２２ａとの間に圧縮コイルスプリング２４が介装されてフェルール２を前方に付勢する。
【００３５】
フェルール２の圧縮コイルスプリング２４による前方への付勢力の付与により、光コネクタプラグ３を連結位置まで挿入した際のフェルール２の先端と電源側光コネクタプラグ３’のフェルール２の先端との圧接状態での接触が可能になり、電源側光コネクプラグ３’の光ファイバ１７ｂとの接続が保証される。
【００３６】
また、プラグフレーム本体１５には、前方に向けてキー部１３を突出させたキーリング１４が外嵌、固定されており、光コネクタプラグ３のアダプタ７への連結に際し、上記キー部１３をアダプタハウジング５に形成されるキー溝１２に合致させることにより回転方向の位置決めが行われる。
【００３７】
一方、上記フレーム連結体１６はほぼ円筒形状をなして、プラグフレーム本体１５に外嵌、固定される。このフレーム連結体１６の前端縁はプラグフレーム本体１５に配置されるキー部１３を覆い隠すことのないように、キーリング１４のリング部１４ａのやや前方に位置しており、後端縁はプラグフレーム本体１５の後端位置に合致する。
【００３８】
また、フレーム連結体１６には、内径部に上記アダプタハウジング５の雄ネジ５ｂに螺合可能な雌ネジ１０ａが形成されたカップリングナット１０が外嵌される。フレーム連結体１６には止め輪２５が固定されてカップリングナット１０の抜け止めが行われる。
【００３９】
フレーム連結体１６の外周にはリング装着溝１ｂが形成されており、このリング装着溝１ｂに後述するリング部１１ａを外嵌させることによりストッパリング１１が前後方向移動不能に装着され、さらに、このストッパリング１１を覆うように、スライド蓋９が前後方向移動自在に装着される。
【００４０】
図４に示すように、ストッパリング１１は、止め輪状のリング部１１ａから前方に向けて単数、または複数（本例においては２個）の舌片状のストッパ突片８を突出させて形成される。リング部１１ａは、上記アダプタ７のプラグ装着用開口４内に挿通可能な外形寸法を有するとともに、ストッパ突片８は、リング部１１ａとの境界部において屈曲されて前端に行くに従って漸次外径方向に拡開しており、ストッパ突片８の前端は、アダプタ７のプラグ装着用開口４の前端縁における直径に比して大径の円周上に位置する。
【００４１】
上記ストッパ突片８は図４（ｂ）に示す無負荷状態の拡開姿勢から図４（ｃ）に示す非拡開姿勢まで弾性変形可能であり、本例においては、上記ストッパリング１１をバネ板材等の弾性変形可能な材料により形成することにより、ストッパ突片８の弾性変形能が確保される。
【００４２】
上記スライド蓋９は、リング部９ａの全周から前方に向けて円筒状のストッパ収容筒９ｂを突出させて形成され、図３に示すように、リング部９ａをフレーム連結体１６にスライド自在に外嵌して装着される。
【００４３】
図４（ｃ）に示すように、スライド蓋９のストッパ収容筒９ｂの内径は上記ストッパリング１１がスライド自在に嵌合可能な寸法に形成されるとともに、外径は、図５に示すように、フェルール２のアダプタ７への挿入途上でアダプタハウジング５の連結突部５ａの後端縁に干渉する寸法に形成される。
【００４４】
光コネクタプラグ３の装着は、前端部をアダプタ７のプラグ装着用開口４に挿入して行われ、プラグフレーム本体１５の前端が上述したカップリングナット１０を締め付けてアダプタハウジング５のストッパ壁４ａに当接する連結位置で固定される。
【００４５】
図５に示すように、プラグフレーム本体１５の挿入途上において、スライド蓋９はアダプタハウジング５の連結突部５ａの先端に当接し、この状態からさらに光コネクタプラグ３を挿入すると、図６に示すように、スライド蓋９の前端縁が連結突部５ａの先端に押されてスライド蓋９がフレーム連結体１６に対して相対的に後退する。
【００４６】
図６（ｂ）に示すように、スライド蓋９は後退位置において先端縁がストッパリング１１のリング部１１ａの先端縁近傍に合致するように形成されており、この状態から光コネクタプラグ３をアダプタ７から抜去すると、図７に示すように、ストッパリング１１のストッパ突片８は拡開姿勢に弾性的に復帰する。
【００４７】
拡開姿勢においてストッパ突片８の前端は、図７（ｂ）に示すように、アダプタハウジング５の連結突部５ａの前端に干渉する位置まで拡開しているために、光コネクタプラグ３をプラグ装着用開口４に嵌合し、さらに、連結位置まで挿入することができないために、光コネクタプラグ３の再使用が不可能となる。
【００４８】
また、本例において、図７（ｂ）に示すように、ストッパ突片８が拡開姿勢にある状態でストッパ突片８の自由端はカップリングナット１０の内周壁に当接する。この状態で光コネクタプラグ３をアダプタ７に挿入しようとすると、さらなる拡開方向への変形がカップリングナット１０により規制されているストッパ突片８は座屈変形のみが許容されるために、大きな抵抗力が発生し、より確実に連結位置への挿入が防止される。
【００４９】
図７（ｂ）の状態からストッパリング２５を外した後、カップリングナット１０を外し、専用治具でスライド蓋９を押すことで、一旦拘束解除位置に移動したスライド蓋９を拘束位置に強制復帰させ、拡開姿勢に移行したストッパ突片８を再び非拡開姿勢に移行させて初期状態に復帰させることができる。
【００５０】
したがって本例において、過誤による光コネクタプラグ３の再使用を防止することができる上に、例えば消毒等、再使用条件が充足した場合には、スライド蓋９を拘束位置に復帰させることにより再使用を可能にすることができる。
【００５１】
図８に本発明の第２の実施の形態を示す。なお、以下の実施の形態の説明において、上述した実施の形態と実質的に同一の構成要素は図中に符号を付して説明を省略する。
【００５２】
本例において、上述した実施の形態においてプラグフレーム本体１５とフレーム連結体１６とから形成される光コネクタプラグ３のプラグフレーム１は一体に形成されるとともに、ストッパ突片８とスライド蓋９とはフェルール２の外周部に配置される。
【００５３】
図８（ｂ）、（ｃ）に示すように、ストッパ突片８は板バネ材により形成され、無負荷状態の拡開姿勢で図９（ｃ）に示す形状を有してフェルール２に形成された収容凹部２ｂに収容される。図中２ｃは板バネを収容凹部２ｂに固定するための接着剤等を示す。
【００５４】
一方、スライド蓋９は図８（ｃ）に示すように、長手方向に回り止めスリットが形成された断面Ｃ字形状の筒体で、フェルール２の外周壁に形成された所定長のガイド凹部２ｄに前後方向に移動自在に外嵌される。
【００５５】
また、スライド蓋９の前端には作動突起９ｃが突設されており、プラグフレーム１をアダプタ７に所定長挿入すると、作動突起９ｃがアダプタハウジング５のスリーブホルダ１９の後端に当接する。この状態からさらにプラグフレーム１を連結位置まで挿入すると、図９（ｂ）に示すように、スリーブホルダ１９により前進を規制されたスライド蓋９は相対的に後退して拘束解除位置に移動する。
【００５６】
この後、光コネクタプラグ３をアダプタ７から抜去すると、図９（ｃ）に示すように、ストッパ突片８は拡開姿勢に移行し、以後、ストッパ突片８がスリーブホルダ１９の前端に干渉することから連結位置への移動が規制される。
【００５７】
図１０に図８の変形例を示す。本例において、スライド蓋９はフェルール２の外周に巻装され、図１１（ａ）に示すように、このスライド蓋９の前端に形成される作動フランジ９ｄがアダプタ７のスリーブホルダ１９の前端に干渉することにより拘束解除位置に駆動される。
【００５８】
図１２に本発明の第３の実施の形態を示す。本例において光コネクタプラグ３のプラグフレーム１は一体に形成されるとともに、プラグフレーム１の前端部にはキー部１３を備えたキーリング１４が、その後方にストッパリング１１とスライド蓋９とが配置される。
【００５９】
光コネクタプラグ３の装着はキー部をキー溝１２に合致させるようにして前端部をアダプタハウジング５のプラグ装着用開口４に嵌合させて行われ、スライド蓋９は連結位置に到達する前にアダプタハウジング５の前端縁（連結突部５ａの前端縁）に当接した後、図１３（ｂ）に示すように、拘束解除位置に駆動され、その後、光コネクタプラグ３をアダプタ７から抜去すると、図１３（ｃ）に示すように、ストッパ突片８が拡開姿勢に弾性復帰し、以後、アダプタ７との連結が規制される。
【００６０】
図１４に本発明の第４の実施の形態を示す。本例は、いわゆるＳＭＡ型の光コネクタ装置に対する適用例を示すもので、フェルール２はプラグフレーム１に一体形成される。
【００６１】
ストッパ突片８はプラグフレーム１に外嵌、固定されるホルダ２６に固定され、このストッパ突片８を覆うようにスライド蓋９がホルダ２６に対して前後方向摺動自在に装着される。
【００６２】
アダプタ７にはホルダ２６が挿入可能なプラグ装着用開口４が開設されており、プラグフレーム１をアダプタ７に挿入すると、やがて図１４（ａ）に示すように、スライド蓋９の先端がプラグ装着開口４のストッパ壁４ａに当接する。このあと、さらにプラグフレーム１を連結位置まで挿入すると、図１５（ａ）に示すように、スライド蓋９は相対的に後方にスライドして拘束解除位置まで移動し、このあと、プラグフレーム１を抜去すると、図１５（ｂ）に示すように、ストッパ突片８は拡開姿勢に移行する。
【００６３】
なお、図１４においてはフェルール２はプラグフレーム１に一体形成される場合を示したが、プラグフレーム１に対して別体に形成することもできる。
【符号の説明】
【００６４】
１        プラグフレーム
２        フェルール
３        光コネクタプラグ
４        プラグ装着用開口
５        アダプタハウジング
６        フェルール保持部
７        アダプタ
８        ストッパ突片
９        スライド蓋
１０      カップリングナット
１１      ストッパリング
１２      キー溝
１３      キー部
１４      キーリング
１５      プラグフレーム本体
１６      フレーム連結体
【要約】      （修正有）【課題】再使用を規制する機器を接続するのに適した光コネク装置の提供する。【解決手段】筒状のプラグフレーム１にフェルール２を保持した光コネクタプラグ３と、光コネクタプラグのフェルールを受容するフェルール保持部６を備えたアダプタ７とを有し、光コネクタプラグには、前方に行くに従って漸次遠心方向に拡開し、非拡開姿勢に弾性変形可能なストッパ突片８と、ストッパ突片を押さえ付けて非拡開姿勢に拘束して保持する拘束位置からストッパ突片に対する拘束を解除してストッパ突片を拡開姿勢に復帰させる拘束解除位置まで移動自在なスライド蓋９とが設けられ、スライド蓋は、光コネクタプラグの連結位置までの嵌合操作に伴ってアダプタに干渉して拘束位置から拘束解除位置までスライド駆動されるとともに、ストッパ突片は、拡開姿勢においてアダプタに干渉して光コネクタプラグの連結位置への挿入操作を規制する。【選択図】図７【図１】
0006868760.tif 000002
【図２】
0006868760.tif 000003
【図３】
0006868760.tif 000004
【図４】
0006868760.tif 000005
【図５】
0006868760.tif 000006
【図６】
0006868760.tif 000007
【図７】
0006868760.tif 000008
【図８】
0006868760.tif 000009
【図９】
0006868760.tif 000010
【図１０】
0006868760.tif 000011
【図１１】
0006868760.tif 000012
【図１２】
0006868760.tif 000013
【図１３】
0006868760.tif 000014
【図１４】
0006868760.tif 000015
【図１５】
0006868760.tif 000016